(57)【要約】【課題】立地位置の選定や住民合意を円滑に進めるとともに、従来の処分場のイメージを改善したり、立地地域のメリットを安価に確保したりすることができる被覆型廃棄物処分場の先行利用方法を提供すること。【解決手段】被覆型廃棄物処分場を大小２つの処分場１、２に分割して築造し、大処分場１から埋立を行うようにするとともに、小処分場２を処分場築造時の発生残土３を含む土砂によって埋め戻し、該小処分場２の埋め戻した上を築造当初から屋内施設として利用できるようにする。【選択図】  図１
2005028233.tif 000002
【特許請求の範囲】
【請求項１】
底盤とこれに連なる側面とに遮水工が施され、かつ上面が開放された処分場を備えるとともに、処分場の上方を屋根構造物で覆った被覆型廃棄物処分場において、該被覆型廃棄物処分場を大小の処分場に分割して築造し、大処分場から埋立を行うようにするとともに、小処分場を処分場築造時の発生残土を含む土砂によって埋め戻し、該小処分場の埋め戻した上を築造当初から屋内施設として利用することを特徴とする被覆型廃棄物処分場の先行利用方法。
【請求項２】
前記小処分場を、大処分場において必要となる最終覆土の容量と同程度の計画埋立容量とすることを特徴とする請求項１記載の被覆型廃棄物処分場の先行利用方法。
【発明の詳細な説明】
【０００１】
【発明の属する技術分野】
本発明は、被覆型廃棄物処分場の先行利用方法に関し、特に、立地位置の選定や住民合意を円滑に進めるとともに、従来の処分場のイメージを改善したり、立地地域のメリットを安価に確保したりすることができる被覆型廃棄物処分場の先行利用方法に関するものである。
【０００２】
【従来の技術】
従来のオープン型廃棄物処分場に対し、処分場の周辺環境への影響を最小限に抑えるとともに、地域の住民や環境との調和を図る目的で、処分場の上方を屋根構造物で覆う被覆型廃棄物処分場がある。
この被覆型廃棄物処分場では、埋立跡地の被覆設備内を屋内スポーツ等の施設として有効利用することが可能である。
【０００３】
【発明が解決しようとする課題】
ところで、上記従来の被覆型廃棄物処分場においては、埋立中の処分場１つに対して屋根構造物も１つであるため、被覆設備内の有効利用を行う場合でも埋立完了後でなければ利用することができないという欠点があった。
また、被覆型廃棄物処分場は、オープン型処分場に対し、立地地域の住民合意形成面で有利であると言えるものの、依然として従来のオープン型処分場のイメージの悪さがあり、また、立地地域における特に大きなメリットがないことから、立地位置の選定や合意形成にかなりの時間を要したり、利便性や施工性、経済性の悪い場所への立地も余儀なくされるなどの欠点があった。
【０００４】
本発明は、上記従来の被覆型廃棄物処分場が有する問題点に鑑み、立地位置の選定や住民合意を円滑に進めるとともに、従来の処分場のイメージを改善したり、立地地域のメリットを安価に確保したりすることができる被覆型廃棄物処分場の先行利用方法を提供することを目的とする。
【０００５】
【課題を解決するための手段】
上記目的を達成するため、本発明の被覆型廃棄物処分場の先行利用方法は、底盤とこれに連なる側面とに遮水工が施され、かつ上面が開放された処分場を備えるとともに、処分場の上方を屋根構造物で覆った被覆型廃棄物処分場において、該被覆型廃棄物処分場を大小の処分場に分割して築造し、大処分場から埋立を行うようにするとともに、小処分場を処分場築造時の発生残土を含む土砂によって埋め戻し、該小処分場の埋め戻した上を築造当初から屋内施設として利用することを特徴とする。
【０００６】
この被覆型廃棄物処分場の先行利用方法は、被覆型廃棄物処分場を大小の処分場に分割して築造し、大処分場から埋立を行うようにするとともに、小処分場を処分場築造時の発生残土を含む土砂によって埋め戻し、該小処分場の埋め戻した上を築造当初から屋内施設として利用できることから、被覆型廃棄物処分場においても、立地位置の選定や住民合意を円滑に進めるとともに、従来の処分場のイメージを改善したり、立地地域のメリットを安価に確保したりすることができ、経済性を損なわないで立地地域に有効な還元策を埋立開始時点から実現することができる。
【０００７】
この場合において、前記小処分場を、大処分場において必要となる最終覆土の容量と同程度の計画埋立容量とすることができる。
【０００８】
これにより、大処分場の埋立完了時に、小処分場に埋め戻した発生残土を掘り起こし、大処分場の最終覆土として活用することができる。
【０００９】
【発明の実施の形態】
以下、本発明の被覆型廃棄物処分場の先行利用方法の実施の形態を図面に基づいて説明する。
【００１０】
図１に、本発明の被覆型廃棄物処分場の先行利用方法の一実施例を示す。
図１（ａ）は、最終覆土を含めた計画埋立容量を確保する被覆型廃棄物処分場を、大小２つの処分場１、２に分割した埋立開始前の状態を示している。
図１（ａ）において、大小２つの処分場１、２は、その内側に底盤５とこれに連なる側壁とに遮水工が施され、上面が開放された容器状をなし、また、各処分場１、２の上面開口部はそれぞれ独立した屋根構造物６で覆われている。
【００１１】
小処分場２は、大処分場１において必要となる最終覆土４の容量と同程度の計画埋立容量とし、該小処分場２には、処分場築造時の発生残土３を用いて築造時に埋め戻しておく。
なお、小処分場２を埋め戻すに当たり、処分場築造時の発生残土３が、小処分場２の埋め戻しに要する量よりも多い場合には、その余剰分を別途処理するようにし、逆に、小処分場２の埋め戻しに要する量が不足する場合には、その不足分、具体的には、適当な土砂を、外部から搬入するようにする。
そして、本実施例の被覆型廃棄物処分場の先行利用方法は、このように発生残土３を築造時に埋め戻した小処分場２の屋根構造物６の内部を、屋内スポーツ施設等の何らかの屋内設備を設けて先行的に有効活用するものである。
【００１２】
一方、図１（ｂ）に示すように、先に廃棄物Ｈの埋立を開始した大処分場１の埋立完了時には、小処分場２の発生残土３を掘り起こし、大処分場１の最終覆土４として活用するようにする。
また、大処分場１の覆土を含めた埋立完了後は、小処分場２で廃棄物の埋立を開始する。
【００１３】
なお、小処分場２の底盤５の遮水工は、コンクリートや水密アスファルトコンクリート等の硬構造物もしくは、遮水シートとする場合はシート保護工として厚さ１５〜２０ｃｍ程度のコンクリートスラブを用い、発生残土３を掘り起こす際に重機や運搬車両によって遮水シートを含む遮水工が損傷しない構造とする。
また、本実施例では、浸出水集排水管や散水設備、屋根構造物の換気設備、照明設備、その他の周縁設備などを図示省略しているが、これらの設備も各処分場１、２の内外に配置されていることはもちろんである。
【００１４】
かくして、本実施例の被覆型廃棄物処分場の先行利用方法は、被覆型廃棄物処分場を大小２つの処分場１、２に分割して築造し、大処分場１から埋立を行うようにするとともに、小処分場２を処分場築造時の発生残土３を含む土砂によって埋め戻し、該小処分場２の埋め戻した上を築造当初から屋内施設（図示省略）として利用できることから、被覆型廃棄物処分場においても、立地位置の選定や住民合意を円滑に進めるとともに、従来の処分場のイメージを改善したり、立地地域のメリットを安価に確保したりすることができ、経済性を損なわないで立地地域に有効な還元策を埋立開始時点から実現することができる。
また、小処分場２を、大処分場１において必要となる最終覆土４の容量と同程度の計画埋立容量とすることにより、大処分場１の埋立完了時に、小処分場２に埋め戻した発生残土３を掘り起こし、大処分場１の最終覆土４として活用することができる。
【００１５】
以上、本発明の実施例を説明したが、本発明の被覆型廃棄物処分場の先行利用方法は、この実施例の記載に限定されるものではなく、例えば、大処分場や小処分場を複数設置したり、１つの被覆型廃棄物処分場に隔壁を設けて大小の処分場に分割する等、その趣旨を逸脱しない範囲において適宜に変更することが可能である。
【００１６】
【発明の効果】
本発明の被覆型廃棄物処分場の先行利用方法によれば、被覆型廃棄物処分場を大小の処分場に分割して築造し、大処分場から埋立を行うようにするとともに、小処分場を処分場築造時の発生残土を含む土砂によって埋め戻し、該小処分場の埋め戻した上を築造当初から屋内施設として利用できることから、被覆型廃棄物処分場においても、立地位置の選定や住民合意を円滑に進めるとともに、従来の処分場のイメージを改善したり、立地地域のメリットを安価に確保したりすることができ、経済性を損なわないで立地地域に有効な還元策を埋立開始時点から実現することができる。
【００１７】
この場合、前記小処分場を、大処分場において必要となる最終覆土の容量と同程度の計画埋立容量とすることにより、大処分場の埋立完了時に、小処分場に埋め戻した発生残土を掘り起こし、大処分場の最終覆土として活用することができる。
【図面の簡単な説明】
【図１】本発明の被覆型廃棄物処分場の先行利用方法の一実施例を示し、（ａ）は埋立前の断面図、（ｂ）は埋立後の断面図である。
【符号の説明】
１      被覆型廃棄物の大処分場
２      被覆型廃棄物の小処分場
３      工事発生残土
４      大処分場最終覆土
５      小処分場底盤
６      屋根構造物
Ｈ      廃棄物
【図１】
2005028233.tif 000003